Podtech/llm-jp-corpus-v4-ja_patent huggingface dataset:
(57)【要約】【課題】ＩＰ−ＰＢＸが故障してもその被害を最小限に抑制し、また、各ＩＰ−ＰＢＸにおける処理時間、即ち、音声の遅延時間を最短に抑制することが出来る分散ＩＰ−ＰＢＸシステムを提供する。【解決手段】ＩＰ−ＰＢＸ１〜５、ＩＰ電話端末１０１〜６００、ＩＰ電話端末１０１〜６００を伝送媒体６からなるネットワークに収容するＨＵＢ７〜１１、及び管理装置１２〜１４から構成されている。なお、管理装置１２〜１４は、互いに常時監視することで、健全性を確認しあい、管理装置１２が故障時は管理装置１３が、管理装置１３も故障時は管理装置１４が、管理装置１２として機能するといった、冗長化を有するように構成されている。【選択図】図１
2008109588.tif 000002
【特許請求の範囲】
【請求項１】
同一機能を有する複数のＩＰ−ＰＢＸを分散し、この分散された複数のＩＰ−ＰＢＸが協調して、１つのＩＰ−ＰＢＸを実現する分散ＩＰ−ＰＢＸシステムにおいて、上記複数のＩＰ−ＰＢＸの各ＩＰ−ＰＢＸが収容するＩＰ電話端末を配分する管理装置を備え、この管理装置を冗長化構成としたことを特徴とする分散ＩＰ−ＰＢＸシステム。
【請求項２】
上記管理装置は、各ＩＰ−ＰＢＸが収容するＩＰ電話端末数を、均等に配分することを特徴とする請求項１記載の分散ＩＰ−ＰＢＸシステム。
【発明の詳細な説明】
【技術分野】
【０００１】
この発明は、同一機能を有する複数のＩＰ−ＰＢＸ（Ｉｎｔｅｒｎｅｔ  Ｐｒｏｔｏｃｏｌ−Ｐｒｉｖａｔｅ  ｂｒａｎｃｈ  ｅｘｃｈａｎｇｅ）を分散し、この分散された複数のＩＰ−ＰＢＸが協調して、１つのＩＰ−ＰＢＸを実現する分散ＩＰ−ＰＢＸシステムに関するものである。
【背景技術】
【０００２】
従来の分散ＰＢＸにおいては、分散ＰＢＸをセンターノードと分散ノードに分類し、分散ＰＢＸの一つが故障した場合は、他の分散ＰＢＸを経由するように切り替える切り替え機構を備えている（例えば、特許文献１参照）。
【０００３】
【特許文献１】特開２００３−０７８９３２号公報（段落００２６−段落００２７、図４−図７）
【発明の開示】
【発明が解決しようとする課題】
【０００４】
しかし、上記従来の分散ＰＢＸシステムにおいては、切り替えられた分散ＰＢＸの処理負荷が高くなるという問題点があった。
【０００５】
特に、ＩＰ−ＰＢＸシステムにおいては、ＩＰ電話端末の音声データを、どのＩＰ−ＰＢＸが処理するか、各ＩＰ電話端末が事前に把握しておく必要があるため、ＩＰ−ＰＢＸが故障した場合、ＩＰ−ＰＢＸの優先順位に従って、各ＩＰ電話端末を収容するＩＰ−ＰＢＸが切り替えられる方法等が用いられるが、切り替えられたＩＰ−ＰＢＸの処理負荷が高くなることにより、ＩＰ−ＰＢＸでの処理遅延時間の増大や、システム全体の処理能力と無関係に、ＩＰ電話端末の処理が不可能となるという問題点があった。
【０００６】
この発明は上記のような課題を解決するためになされたものであり、各ＩＰ−ＰＢＸが収容するＩＰ電話端末を配分する管理装置を備えることにより、ＩＰ−ＰＢＸが故障しても、その被害を、最小限に抑制し、また、各ＩＰ−ＰＢＸが収容するＩＰ電話端末数を、管理装置が均等に配分することにより、各ＩＰ−ＰＢＸにおける処理時間、即ち、音声の遅延時間を最短に抑制することが出来る分散ＩＰ−ＰＢＸシステムを提供するものである。
【課題を解決するための手段】
【０００７】
この発明に係る分散ＩＰ−ＰＢＸシステムは、同一機能を有する複数のＩＰ−ＰＢＸを分散し、この分散された複数のＩＰ−ＰＢＸが協調して、１つのＩＰ−ＰＢＸを実現する分散ＩＰ−ＰＢＸシステムにおいて、上記複数のＩＰ−ＰＢＸの各ＩＰ−ＰＢＸが収容するＩＰ電話端末を配分する管理装置を備え、この管理装置を冗長化構成としたものである。
【発明の効果】
【０００８】
この発明によれば、ＩＰ−ＰＢＸの機能を分散したシステムにおいて、各ＩＰ−ＰＢＸが収容するＩＰ電話端末を配分する管理装置を備え、この管理装置を冗長化して設ける構成にしたので、ＩＰ−ＰＢＸが故障しても、システム全体の処理能力の範囲内では、ＰＢＸ機能を維持することが可能となる。
【０００９】
また、管理装置を備え、各ＩＰ−ＰＢＸが収容するＩＰ電話端末を均等に配分するようにしたので、常に各ＩＰ−ＰＢＸにおける処理時間、即ち、音声の遅延時間を最短に抑制することが可能となる。
【発明を実施するための最良の形態】
【００１０】
以下に添付図面を参照して、この発明に係る分散ＩＰ−ＰＢＸシステムについて好適な実施の形態を説明する。なお、この実施の形態によりこの発明が限定されるものではない。
【００１１】
実施の形態１．
図１はこの発明の実施の形態１に係る分散ＩＰ−ＰＢＸシステムを説明する図であり、ＩＰ−ＰＢＸ１〜５、ＩＰ電話端末１０１〜６００、ＩＰ電話端末１０１〜６００を伝送媒体６からなるネットワークに収容するＨＵＢ７〜１１、及び管理装置１２〜１４から構成されている。なお、管理装置１２〜１４は、互いに常時監視することで、健全性を確認しあい、管理装置１２が故障時は、管理装置１３が、管理装置１３も故障時は、管理装置１４が、管理装置１２として機能するといった、冗長化を有するように構成されている。
【００１２】
次に、上記構成による分散ＩＰ−ＰＢＸシステムの動作について説明する。例えば、ＩＰ電話端末１０１が、ＩＰ電話端末４００との通話を行う場合、ＩＰ電話端末１０１は、管理装置１２に対し、ＩＰ電話端末４００との通話を要求し、使用するＩＰ−ＰＢＸを確認する。
【００１３】
ここで、管理装置１２は、各ＩＰ−ＰＢＸが収容している電話回線数を把握しており、現時点で最も接続電話回線数の少ないＩＰ−ＰＢＸを、要求元のＩＰ電話端末１０１へ回答することにより、各ＩＰ−ＰＢＸが収容するＩＰ電話端末を均等に配分する。
【００１４】
このように、通話毎に、管理装置１２が使用するＩＰ−ＰＢＸを振り当てることで、ＩＰ−ＰＢＸが故障しても、システム全体の処理能力の範囲内では、ＰＢＸ機能を維持することができる。
【００１５】
更に、各ＩＰ−ＰＢＸが収容する電話回線数を、管理装置１２が均等に配分することにより、各ＩＰ−ＰＢＸにおける処理時間、即ち、音声の遅延時間を最短に抑制することが出来る。
【産業上の利用可能性】
【００１６】
以上のように、この発明に係る分散ＩＰ−ＰＢＸシステムは、ＩＰ−ＰＢＸが故障しても、その被害を、最小限に抑制し、また、各ＩＰ−ＰＢＸにおける処理時間、即ち、音声の遅延時間を最短に抑制することが出来る分散ＩＰ−ＰＢＸシステムとして産業上の利用可能性が大きい。
【図面の簡単な説明】
【００１７】
【図１】この発明の実施の形態１に係る分散ＩＰ−ＰＢＸシステムを説明する図である。
【符号の説明】
【００１８】
１〜５  ＩＰ−ＰＢＸ                ６  伝送媒体
７〜１１  ＨＵＢ                  １２〜１４  管理装置
１０１〜６００  ＩＰ電話端末
【図１】
2008109588.tif 000003
(57)【要約】【課題】  同一レドーム内にレーダ反射用リフレクタとアンテナを共存させる。【解決手段】円筒形のレドーム３内に送受信用のアンテナエレメント１と、周波数選択特性を有するレーダ反射用レフレクタ２とを収納してレーダリフレクタ内蔵アンテナとする。【選択図】図１
2008109254.tif 000002
【特許請求の範囲】
【請求項１】
同一のレドーム（３）内に送受信用のアンテナエレメント（１）とレーダ反射用のリフレクタ（２）とを収容してなるレーダリフレクタ内蔵アンテナ。
【請求項２】
前記リフレクタ（２）が誘電体基板（２１）の表面に無数の微小なリング状の反射素子（２２）を形成して周波数選択特性を付与してなる請求項１に記載のレーダリフレクタ内蔵アンテナ。
【請求項３】
前記リフレクタ（２）が互いに９０度をなす３つの平面を組み合わせたものである請求項１または２に記載のレーダリフレクタ内蔵アンテナ。
【発明の詳細な説明】
【技術分野】
【０００１】
本発明は、船舶用のアンテナに関し、詳しくはレーダ電波を反射してレーダに捕捉されるようにするレーダリフレクタ内蔵アンテナに関する。
【背景技術】
【０００２】
船舶の運航に際しては、衝突事故の防止や運行管理の目的で、各船舶や海岸局はレーダを使用して船舶相互、あるいは海岸局から船舶に対して監視を行っているが、小型船舶は大型の船舶に比較してレーダで捕らえにくいという問題点があり、これを改善するため、レーダの電波を積極的に反射して返すレーダリフレクタが開発され、これを搭載することが検討されている。
【０００３】
レーダリフレクタとしては、金属板を構成材料として電波を効果的に反射するものが一般的である。例えば特許文献１に記載の発明では、高密度ポリエチレン製の板材の両面にアルミ箔を熱溶着したものを電波反射面としている。
ところで船舶では、各種の通信用として無線設備を備えるのが普通である。送受信にはアンテナを使用する。安全性ならびに運航管理精度の向上を目的として、船舶の位置や針路、速度等の情報をリアルタイムで自動的に送受信するＡＩＳ（船舶自動識別装置）の設置も進められている。これにも所定の周波数帯の電波が使用される。
【０００４】
金属を構成材料としたレーダリフレクタをアンテナの近くに設置すると、アンテナの送受信波がこれに反射してアンテナ機能に障害が生じるので、両者間には少なくとも２〜３ｍという距離が必要である。しかし、小型船舶においては元々甲板面積に余裕がなく、この距離を確保することが困難である。
【特許文献１】特開平５−１５２８３３号公報
【発明の開示】
【発明が解決しようとする課題】
【０００５】
本発明はこのような問題点を解消し、レーダアンテナとレーダリフレクタを合体させたレーダリフレクタ内蔵アンテナを実現することを目的とする。
【課題を解決するための手段】
【０００６】
本発明は、同一のレドーム内に送受信用のアンテナエレメントとレーダ反射用のリフレクタとを収容してなるレーダリフレクタ内蔵アンテナであり、望ましくは
前記リフレクタが誘電体基板の表面に無数の微小なリング状の反射素子を形成して周波数選択特性を付与してなるものであり、あるいは前記リフレクタが互いに９０度をなす３つの平面を組み合わせたものである前記のレーダリフレクタ内蔵アンテナである。
【発明の効果】
【０００７】
本発明によれば、レーダ反射用リフレクタが周波数選択特性を有するため、アンテナの使用周波数帯域においてアンテナに対して電気的影響がほとんどなく、アンテナ機能を損なうことがない。しかも両者が合体しているのでせまい小型船舶にも容易に設置できて航海の安全性が向上するという、すぐれた効果を奏する。
【発明を実施するための最良の形態】
【０００８】
本発明の実施例を図面により説明する。
図１は実施例のレーダリフレクタ内蔵アンテナを示す正面図で、１はアンテナ（アンテナエレメント）、２はリフレクタ、３はこれらを覆う保護カバーであるＦＲＰ製のレドーム、４はレドーム３の内側の空間内に充填される樹脂などの充填材、５は支柱、６はアンテナ配線用コネクタである。
【０００９】
このレーダリフレクタ内蔵アンテナは、円筒形のレドーム３内に、レーダ送受信用のアンテナエレメント１とレーダ反射用のリフレクタ２とを、アンテナエレメント１が外側になるように収容してある。アンテナはダイポールアンテナ、ホイップアンテナなど任意のものでよいが、表面積の小さい棒状のものを、できるだけリフレクタの邪魔にならない位置に配置することが望ましい。
【００１０】
リフレクタ２は、互いに９０度をなす３つの平面を組み合わせたもののうち２つの面が水平方向から見て４５度傾くように配置し、これを上下および円周方向に連続させて所定のレーダ断面積が得られる配置とし、水平方向のあらゆる方向からの電波を有効に反射できるようにしている。レドーム３の内側の空間内には、強度保持のため、発泡ポリウレタンなどの充填材を注入して発泡させる。レドーム３や充填材４の樹脂は電波が透過するので、レーダおよびアンテナの性能にはほとんど影響がない。
【００１１】
レドーム３の円筒形の直径はおよそ300ｍｍ、高さはおよそ400ｍｍで、これでレーダアンテナとリフレクタの両者を兼ねるので、きわめてコンパクトである。
図２はリフレクタ２の表面の一部を拡大して示す説明図で、２１はポリエチレン、ＦＲＰなどの誘電体よりなる基板、２２はその表面に配列した無数の微小なリング状の反射素子で、特定の周波数帯域の電波を効果的に反射する周波数選択特性を有する。
【００１２】
反射素子２２の直径は反射させようとする波長に関係するので、Ｘ帯、例えば公海用レーダの9.4ＧＨｚに対応させるのであれば円周を30ｍｍ程度とすればよい。反射素子２２は、例えば18μｍ厚程度の銅箔を表面に接着した基板をフォトエッチングし、腐食防止のため金メッキして形成する。なお、このリフレクタも電波の透過には支障がないので、レドーム内において必ずしもアンテナエレメントをリフレクタの外側に出す必要はない。
【００１３】
このレーダリフレクタ内蔵アンテナは、内部のアンテナエレメントやリフレクタを樹脂を充填して固めてしまうので、表面の劣化や配線の外れなどの故障はほとんど発生しないから、一旦取り付ければメンテナンスフリーで半永久的に使用できる。
このレーダリフレクタ内蔵アンテナは、船体のできるだけ高い位置に垂直に取り付け、船体の他の構造物によって電波が遮られないようにすることが望ましい。
【図面の簡単な説明】
【００１４】
【図１】本発明実施例のレーダリフレクタ内蔵アンテナを示す正面図である。
【図２】実施例のリフレクタ表面の一部を拡大して示す説明図である。
【符号の説明】
【００１５】
１    アンテナ（アンテナエレメント）
２    リフレクタ
３    レドーム
４    充填材
５    支柱
６    コネクタ
２１    基板
２２    反射素子
【図１】
2008109254.tif 000003
【図２】
2008109254.tif 000004
(57)【要約】 【課題】            風呂を掃除する際の負担を軽減する事等により、風呂を掃除している人々の生活を向上させるものである。【解決手段】  主に風呂にマイコン等コンピュータで制御する事が出来るようにしたジェット水流装置等水を噴出する装置、洗剤を噴出する装置、ブラシ、ワイパー、モップ、スポンジ等の装置等を収納する事により、ボタン操作により自動で風呂を清掃する事が出来るようにする等する事により、主婦等の風呂を掃除している人々、高齢者、障害者等、風呂を掃除する事が大きな負担になる人々の生活を向上させる。【選択図】  図１
2008006034.tif 000002
【特許請求の範囲】
【請求項１】
風呂の側面、底面や縁にマイコン等コンピュータで制御出来るようにしたジェット水流装置等水を噴出する装置、ブラシ、ワイパー、スポンジ、モップ等の清掃に使用する装置を収納して、その中に縁や側面、底面の一部が引っ込んだり折りたたまれたりして、ボタン操作により自動で風呂を清掃することが出来るようにした風呂。
【発明の詳細な説明】
【技術分野】
【０００１】
本発明は、主に風呂の側面、底面や縁にマイコン等コンピュータで制御出来るようにしたジェット水流装置等水を噴出する装置、ブラシ、ワイパー、スポンジ、モップ等の清掃に使用する装置を収納して、その中に縁や側面、底面の一部が引っ込んだり折りたたまれたりして、ボタン操作により自動で風呂を清掃する事が出来るようにした風呂である。
【背景技術】
【０００２】
従来は、風呂を掃除する際には、主に洗剤を撒いて、たわしやブラシ等でこすり、水やお湯でそれをながしてするものであった。これらの作業は毎日の様に頻繁に掃除するものや高齢者夫婦や高齢者で一人暮らしをする者、障害者等には大きな負担であった。
【発明の開示】
【発明が解決しようとする課題】
【０００３】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな課題であると言える。又、障害者等自分で掃除をする事が困難である人々についても同様である。
【課題を解決するための手段】
【０００４】
風呂にマイコン等コンピュータで制御出来るようにしたジェット水流装置等水を噴出する装置、ブラシ、ワイパー、スポンジ、モップ等の清掃に使用する装置を取り付けて、ボタン操作により自動で風呂を清掃する事が出来るようにする。
【発明の効果】
【０００５】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな効果であると言える。又、障害者等自分で掃除をする事が困難である人々についても同様である。
【発明を実施するための最良の形態】
【０００６】
本発明は、風呂の側面、底面や縁にマイコン等コンピュータで制御する事が出来るようにしたジェット水流装置、洗剤や熱湯を噴射する装置等の清掃に使用する装置を収納してその中に縁や側面、底面の一部が引っ込んだり折りたたまれたりして（図１、図２）、そこで清掃に使用する装置により清掃される、ボタン操作により自動で風呂を清掃する事が出来るようにした風呂である。
又、マイコン等コンピュータで制御する物としてブラシ、ワイパー、モップ等を取り付けたり、洗剤を噴射する装置、若しくはブラシ等の中に水や洗剤が出る部分を取り付けたりブラシが細かく振動するようにしておけば（図１−４、図２−６）、さらにきれいに清掃をする事ができる。清掃をするだけではなく、湯を沸かしたり、何種類かの中から入浴剤を選択して入れておく事まで自動化できるし、携帯電話等により外出先からそれらの操作も出来る。
又、清掃に使用する水については、水道の蛇口等からホースでつないでおいたり、タンクにためておいたりするだけでなく風呂の水を再利用する装置を利用することも出来る。
【０００７】
又、隙間を塞ぐには、引っ込んだり折りたたまれたりする側面、底面や縁の一部の左右（若しくは上下、上下左右）にゴム等が押し付けられたり、栓がされたりするようにすれば良い。上記のようなゴム等で隙間を塞ぐための装置を引っ込んだり折りたたまれたりする側面、底面や縁に取り付けても良い。
【０００８】
縁や底面にできる凸凹には、滑り止めの工夫もできるし、そのようにすれば老人等が転倒してしまうような事故を防止する効果もある。又、風呂の蓋が自動、又はボタンで折りたたまれたり、ちじんだりしたりして開閉するようにして取り付けても良いし、縁が側面や底面になる装置の中に折りたたまれたり、引っ込んだりして中で清掃をして、清掃が終わったら元に戻るようにする事もできる。又、収納される装置にスポンジ等を使用した絞りながら擦る装置を使用する事、乾燥機を付ける事によりほぼ完全にボタンを押すだけで自動で清掃する事ができる。
【図面の簡単な説明】
【０００９】
【図１】自動風呂の側面の断面図
【図２】自動風呂の側面の断面図
【符号の説明】
【００１０】
１    風呂の側面
２       
縁
３       
レール
４       
清掃に使用する装置
５    内側の側面
６       
清掃に使用する装置
７       
清掃に使用する装置を動かす装置
【図１】
2008006034.tif 000003
【図２】
2008006034.tif 000004
(57)【要約】      （修正有）【課題】コップに付かず、コップの水滴を吸収しかつテーブルを濡らすことのないコースターの提供。【解決手段】コップが当たる面から順に、網目の布１、布２、天然素材の吸収布３、撥水加工及び滑り止めの布４から構成した。【選択図】図１
2008006242.tif 000002
【特許請求の範囲】
【請求項１】
コップでジュースやビールなど冷たい飲み物を飲んでいる時、コップから出る水滴はテーブルが、びしょびしょになるので、天然素材の吸収布で水滴をキャッチしテーブルに雫が垂れないことを特徴とする、雫キャッチコースター。
【請求項２】
前記、雫キャッチコースターは、コップが直接当たる方に、レースのカーテンのように網目の粗い布、または凹凸のあるタオルを使い、コースターとコップがくっ付かないようにした。
【請求項３】
テーブルに直接当たる方は、はっ水加工及び滑り止めの布を使用した事によりコップの水滴はコースターに溜まりテーブルがびしょびしょにならず、コースターが滑ることも無くコップを持ち上げた時も洋服を濡らすことが無いことを特徴とする、雫キャッチコースター。
【発明の詳細な説明】
【技術の分野】
【０００１】  本発明は、コップに付着した水滴を吸い取り、溜った水をテーブルに流れないように考案し、手触りが良く、人や環境にもやさしい、何度でも洗って使える、雫キャッチコースターに関する。
【背景技術】
【０００２】  従来のコースターは、初めの内は良いが、布製、竹製、畳素材、又プラスチック製で中央が合成樹脂でコップは滑らないが３０分も過ぎると全てのコースターはテーブルがびしょびしょになった、竹や畳素材は何度か使用している内にカビが生えた、又底があるのは水滴が溢れてやはりびしょびしょになり洋服まで濡れた、レストランなどで出している紙製は、５分も過ぎるとコップに付いて無い方がまだ良かった、プラスチック製はコップを置いた時、硬そうで違和感が合った。
【発明の開示】
【発明が解決しようとする課題】
【０００３】  以上に述べた従来のコースターでは全て３０分も過ぎるとテーブルがびしょびしょになり、洋服にも雫が垂れ、プラスチックは違和感がある。【０００４】  本発明は、このような従来のコースターを、コップから出る水滴を吸収し、コースターに留まりテーブルや洋服を濡らさず、コップにも付かない、人や環境にやさしいコースターを課題とする。
【課題を解決するための手段】
【０００５】  以上の課題を解決するために、第一発明は、図１コースターの分解図で、コップが直接当たる方から順に、１網目の布、２布、３天然素材の吸収布、４はっ水加工及び滑り止めの布を使用した、雫キャッチコースター。【０００６】  第二発明によれば、図２−６凹凸のある厚手のタオルを使い、テーブルに当たる方は４水加工及び滑り止めの布を使い、雫の形にし、持ち易くした、又衛生を保つため、図１−５ループを乾かし易いように付けた雫キャッチコースター。
【発明の効果】
【０００７】  第一発明、第二発明、によれば、コップを直接載せる方に網目の粗い布、又は凹凸のあるタオルなのでコップにコースターは付かない、又天然素材の吸収布でコップから出る水滴を吸収し、その下は、はっ水加工の布なのでテーブルはびしょびしょにならない。【０００８】  すべて布製で体に易しく、又雫の形なので持ち易く、ループが付いているので乾かし易く衛星的である。
【発明の実施するための最良の形態】
【０００９】  以下、本発明の実施の形態に係るコースターについて図１〜図２に基づいて説明する。
【００１０】  図１は本発明の実施形態に係るコースターの分解斜視図、１レースのカーテンのように網目の粗い布なのでコップがコースターに付かない、２布は飲食をそそられるような布を使用する、３天然素材の吸収布で体にも易しい、４はっ水加工及び滑り止めの布でテーブルに置いても滑らない安定した布を使用し、１、２、３、４を縫い合わせた、又形は、雫の形だと持ち易いので雫の形にしたが、他の形でも良い。
【００１１】  図２−６凹凸のあるタオルなのでコップに付かず、水滴は吸収され、１網目の粗い布と３天然素材の吸収布は無くても良いが、クッションを持たせるなら３天然素材の吸収布はあっても良い、又６と４を縫い合わせる時、間に５ループを挟み、縫い合わせるとコースターを乾かす時に便利である。
【実施形態の効果】
この実施形態によれば、コップの水滴はコースターの中に吸収され、コップにコースターが吸い付かず、冷たいコップをコースターに置いてもテーブルに雫は濡れない、例えば、冷たいビールの小ジョッキーなら１２時間以上はもつ、又布製なので手触りが良く低コストで、環境に優しい、かわいいコースターである。
【図面の簡単な説明】
【００１２】
【図１】図１は本発明の実施形態に係るコースターの分解斜視図、１レースのカーテンのように網目の粗い布、２布、３天然素材の吸収布、４はっ水加工及び滑り止めの布である。
【００１３】
【図２】図２実施形態に係るコースターの分解斜視図、６凹凸のあるタオル、４水加工及び滑り止めの布、５ループである。
【符号の説明】
【００１４】１．  網目が粗い布
２．  布
３．  天然素材の吸収布
４．  はっ水加工及び滑り止め
５．  ループ
６．  凹凸のあるタオル
【図１】
2008006242.tif 000003
【図２】
2008006242.tif 000004
(57)【要約】【課題】  片手で洗濯物を取り付け、また、取り外しができる洗濯バサミを提供する。【解決手段】洗濯バサミの基本形状を従来品のＸ型からＨ型に変更することで支軸部の位置を移動し、指掛け部に弾性屈折部分を設け、それに関連する溝、及びそこにはまる先端部を設けたことを特徴とする洗濯バサミ。【選択図】図１
2008006250.tif 000002
【特許請求の範囲】
【請求項１】
本体をＨ型の形状にして、挟み部に近い位置に支軸を設け、指掛け部に溝、先端部及び、弾性屈折部を設けた洗濯バサミ。
【発明の詳細な説明】
【技術分野】
【０００１】当発明は、片手で洗濯物を取り付け、取り外しができる洗濯バサミに関するものである。
【背景技術】
【０００２】（イ）従来品は、両手で使用することが前提であり、片手で洗濯物を持ち、もう一方の手で洗濯バサミを用いるものであった。
（ロ）物干し竿に吊るされた洗濯バサミに洗濯物を片手での取り付け取り外しは、事実上不可能であった。
【発明の開示】
【発明が解決しようとする課題】
【０００３】  従来品は、基本形状が、Ｘ型でその中心に支軸がある。そのため操作する、摘む部分と洗濯物を挟む部分とが独立し離れている為、挟む部分を開きながら洗濯物をその中に入れて閉じるまでの作業を片手で行うには、器用であっても指がうまく届かず不可能であった。
当発明は、これらの問題点を解決するためになされたものである。
【課題を解決するための手段】
【０００４】（イ）本体の基本形状を従来品のＸ型からＨ型に変更し［図２］、支軸（４）を挟み部（５）に近い位置に設ける。
（ロ）指掛け部Ａ（１）に溝部（２）と先端部（３）を設け、また反発し柔軟性のある弾性屈折部（７）を設ける。
【発明の効果】
【０００５】  挟み部（５）の解放固定が可能となり同時にその中に洗濯物を掛けた親指を差し入れて、その指を用いて閉じせる操作が挟み部（５）内で可能となった。使用する指は、親指と人差し指のみで無理なく操作でき、片手で使用することが出来るようになった。その結果として、
（イ）両腕を上げずに片手での作業ができ、肉体的負担が軽減される。
（ロ）通常より高いところに洗濯物を干す時やまた、赤子や洗濯籠を抱えている場合でも、片手で作業が可能となった。
（ハ）身体的に障害のある方や高齢者も無理することなく使用できる。
【発明を実施するための最良の形態】
【０００６】（イ）本体基本形状を、Ｈ型の形状にして支軸（４）を設ける。
（ロ）指掛け部Ａ（１）に溝部（２）と先端部（３）を設ける。
（ハ）指掛け部Ａ（１）に弾性屈折部（７）を設ける。この弾性屈折部（７）の材質は、合成樹脂や硬質ゴム、金属など反発性があり且つ柔軟性のある素材を用いる。合成樹脂の場合は、太さ、厚さを変えて柔軟度を調整する。
（ニ）バネ線（６）を設ける。（従来品と同様）
本発明は、以上のような構造で、使用方法は、物干し竿に掛けるハンガー用の洗濯バサミに関して以下の順序となる。
（イ）挟み部（５）を開放状態にするために、指掛け部Ａ（１）を指で摘んで押圧する［図３］、それによりバネ線（６）の戻り力により弾性屈折部（７）が屈折して更に押圧することで指掛け部Ａ（１）の両方が密着して先端部（３）が溝部（２）にはまり込む、これにより指掛け部Ａ（１）が連結して挟み部（５）が開放固定状態となる。［図４］
（ロ）次に洗濯物を親指（１０）に引っ掛けて開放状態となっている、挟み部（５）に入れ、指掛け部Ｂ（８）を親指（１０）と人差し指（９）で摘んで押圧［図５］することで弾性屈折部（７）が戻り反発で元の形状にもどり溝部（２）から先端部（３）が離れる、そして指を全て離すと挟み部（５）が閉じ洗濯物が取り付く。
（ハ）取り外す時は、洗濯物を小指か薬指に引っ掛けた状態で（イ）を行う。
【図面の簡単な説明】
【０００７】
【図１】当発明の正面図である。
【図２】従来品と当発明品の基本形状と支軸（４）の位置。
【図３】挟み部（５）を解放させる動作の使用状態を示す中間図である。
【図４】挟み部を開放固定させた状態図。
【図５】挟み部を閉じさせる動作図。
【符号の説明】
【０００８】    １  指掛け部Ａ
２  溝部
３  先端部
４  支軸
５  挟み部
６  バネ線
７  弾性屈折部
８  指掛け部Ｂ
９  人差し指
１０  親指
１１  洗濯物
【図１】
2008006250.tif 000003
【図２】
2008006250.tif 000004
【図３】
2008006250.tif 000005
【図４】
2008006250.tif 000006
【図５】
2008006250.tif 000007
(57)【要約】【課題】  通常の靴による、不意に生じる路面凍結での歩行困難と、スリップ事故による危険を未然に解決すること。【解決手段】  耐水加工を施したサンド・ペーパーの側面に、粘着ステッカー加工を施し、あらかじめ工夫された形状にカット成形された、スリップ防止サンド・ペーパー・ステッカーによりこの課題を解決する。【選択図】図２
2008006244.tif 000002
【特許請求の範囲】
【請求項１】
耐水加工サンド・ペーパーの側面に、粘着ステッカー加工を施し、各種靴底に対応可能な形状と、工夫された複数の孔状が、あらかじめカット成形されていることを特徴とする、携帯可能で着脱が簡単な、スリップ防止サンド・ペーパー・ステッカーである。
【発明の詳細な説明】
【技術分野】
【０００１】  本発明は、靴用の凍結路面スリップ防止に関するものであり、携帯可能で、不意の路面凍結に際し、簡単に装着でき、安全な歩行を可能にし、スリップによる危険を未然に防止するものである。
【背景技術】
【０００２】  従来から、一部の寒冷地を除き、一般に普及している靴は、夏冬兼用であり、凍結路面においてスリップ防止効果が得られる靴底の構造とはなっていない。
また、そうした凍結路面に際する、簡便かつ有効な靴用スリップ防止用具はまだ、開発されていない。そのため、特に都市部においては、しばしば発生する路面凍結において、著しく歩行の困難をきたし、スリップ事故の危険にさらされることを余儀なくされている。
【発明の開示】
【発明が解決しようとする課題】
【０００３】  本発明が解決しようとする課題は、一般に普及している靴底に、簡単に装着でき、不意の凍結路面における歩行の困難と、スリップ事故による危険を未然に解決する事である。
【課題を解決するための手段】
【０００４】  この課題を解決するための請求項１の発明は、耐水加工がなされているサンド・ペーパーの側面に、粘着ステッカー加工を施し、各種靴底に対応可能な形状と、工夫された複数の孔状があらかじめカット成形されていることを特徴とする、スリップ防止サンド・ペーパー・ステッカーである。
【発明の効果】
【０００５】  本発明は、粗めのサンド・ペーパーを使用することで、より高いスリップ防止効果が得られる。耐水加工が施されているため、水分質の高い凍結路面においても持久性が高い。粘着ステッカー加工により、着脱が容易である一方、ステッカーの特性から、横ズレ強度が極めて高いため、歩行時の耐久性に富んでいる。あらかじめカット成形がなされており、装着時の取り扱いがより簡単で、見た目にもきれいである。また、工夫された複数の孔状カット成形が施されており、雪まじりの凍結路面でも、より高いスリップ防止効果が得られる。さらに主原料がサンド（砂）およびペーパー（紙）であるため環境にもとても優しい。
【発明を実施するための最良の形態】
【０００６】  図１は、耐水加工のサンド・ペーパーの側面に粘着ステッカー加工を施し、各種靴底に対応可能な形状と、工夫された複数の孔状が、あらかじめカット成形されていることを特徴とする、スリップ防止サンド・ペーパー・ステッカー装着時の断面図である。同図が示すように、靴底に装着したスリップ防止サンド・ペーパー・ステッカーにより、凍結路面における歩行困難を解消し、スリップによる危険を防止することができる。【０００７】  図２は、同スリップ防止サンド・ペーパー・ステッカーの平面図である。同図に示すように各種の靴底に対応可能な形状に、カット成形がなされているため、誰でも簡単に且つきれいに装着することができる。また工夫された複数の孔状カット成形により、雪まじりの凍結路面においても、より高いスリップ防止効果をあげることができる。
【産業上の利用可能性】
【０００８】  本発明に係るスリップ防止サンド・ペーパー・ステッカーは、消費者ニーズが高く、また環境にも優しい。また工業的に量産することが可能であり、高い産業上の利用可能性を有する。
【図面の簡単な説明】
【０００９】
【図１】  凍結路面スリップ防止サンド・ペーパー・ステッカーの断面図である。
【図２】  凍結路面スリップ防止サンド・ペーパー・ステッカーの平面図である。
【符号の説明】
【００１０】  １サンド（砂）部分
２耐水加工ペーパー（紙）部分
３ステッカー用粘着剤部分
４靴
５靴底
６孔
７凍結路面
【図１】
2008006244.tif 000003
【図２】
2008006244.tif 000004
(57)【要約】【課題】    複数枚刃のカミソリの刃は、カミソリの刃を肌に押し当てた際に出来る肌の弧によって、全部一定の刃の角度では、二枚目以後の刃はヒゲを剃る事が出来なかった。【解決手段】    複数枚刃の二枚目以後の刃に角度を持たせ、カミソリの刃を肌に押し当てて出来る肌の弧に対して、二枚目以後の刃も肌に密着して鋭角に当り、ヒゲを剃る事が出来る。【選択図】図１
2008006246.tif 000002
【特許請求の範囲】
【請求項１】
複数枚刃カミソリの刃一枚ずつ角度を変えて、二枚目以後の刃もカミソリを肌に押し当てて出来るへこみに対応してヒゲを剃る、角度違いカミソリ刃。
【発明の詳細な説明】
【技術分野】
【０００１】  二枚刃以上（以後複数枚刃と称す）の刃に違う角度を変えた刃を使用し、カミソリの刃が肌に当る時に出来る、肌のへこみに対応出来る様に、カミソリの刃一枚ずつに違う角度を付けて、刃が肌に当たる角度を一定化させて、ヒゲを剃る。
【背景技術】
【０００２】  複数枚刃の刃を、一枚目の刃より二枚目の刃は角度を立たせ、三枚目の刃は二枚目の刃より角度を立たせ、四枚目の刃は三枚目の刃より角度を立たせる事により、カミソリの刃が肌に押し当てて出来る、肌のへこみに密着し、ヒゲを剃る事が出来る。
【発明の開示】
【発明が解決しようとする課題】
【０００３】  現在の複数枚刃は、一定角度で並んでいる為、カミソリの刃を肌に押し当てた時に出来る、肌のへこみに対応出来ず、前部の刃はヒゲを剃る事が出来るが、２枚目以後の刃はヒゲを剃る角度では無くなる為、ヒゲを剃る事が出来ずらい。
【課題を解決するための手段】
【０００４】  複数枚刃の角度を一定にせず、二枚目の刃は一枚目の刃より角度を立たせ、三枚目の刃は二枚目の刃より角度を立たせ、四枚目の刃は三枚目の刃より角度を立たせて、カミソリの刃を肌に押し当てた時に出来る、弧を描いてへこんでしまう肌に対して、角度を付ける事により全体の刃が肌に密着し、二枚目以後の刃もヒゲを剃る事が出来る。
【発明の効果】
【０００５】  本発明を使用する事によって、カミソリを肌に押し当てて出来る肌のへこみに対して、二枚目以後の刃も肌のへこみに密着して、ヒゲを剃る事が出来る。
【発明を実施するための最良の形態】
【０００６】  カミンリでヒゲを剃る場合、複数枚刃のカミソリを押し当てると、肌は弧を描いてへこんでしまい、カミソリの角度が一定では刃とヒゲは密着しない。本発明を実施する事により、二枚目以後の刃もヒゲと密着しヒゲを剃る事が出来る。
【実施例】
【０００７】
【図面の簡単な説明】
【０００８】
【図１】  本体図
【図２】  交換カートリッジ正面図
【図３】  交換カートリッジ断面図
【符号の説明】
【０００９】１  本体
２  交換カートリッジ
３  フレーム
４  カミソリ刃
【図１】
2008006246.tif 000003
【図２】
2008006246.tif 000004
【図３】
2008006246.tif 000005
(57)【要約】【課題】  複数枚刃の同じ高さのカミソリの刃は、カミソリの刃を肌に押し当てた際に出来る、肌が弧を描いてへこむ事に対応出来ず、中間の刃はヒゲを剃る事が出来ない。【解決手段】  複数枚刃の中間の刃を高くし、カミソリの刃を肌に押し当てて出来る肌の弧に対して、中間の刃を高くする事によって、カミソリの刃が弧を描いた肌に密着してヒゲを剃る事が出来る。【選択図】図１
2008006247.tif 000002
【特許請求の範囲】
【請求項１】
複数枚刃カミソリの刃の高さを変え、カミソリを肌に押し当てて出来るへこみに対応し、刃の高さを変えてヒゲを剃る、高さ違いカミソリ刃。
【発明の詳細な説明】
【技術分野】
【０００１】  二枚刃以上（以後複数枚刃と称す）のカミソリ刃の高さを変え、カミソリを肌に押し当てた時に出来るへこみには対応する。肌は弧を描いてへこみ一定の高さのカミソリ刃ではヒゲを剃る事が出来ない。
【背景技術】
【０００２】  複数枚刃の中間刃の高さを高くし、カミソリを押し当てた時に出来る肌のへこみに対応し密着させてヒゲを剃る。
【発明の開示】
【発明が解決しようとする課題】
【０００３】  従来の複数枚刃は高さが一定の為、カミソリを押し当てた時に出来る、弧を描いた肌のへこみに対応出来ず、前部の刃はヒゲを剃る事が出来るが、二枚目以後の刃は肌に密着せずヒゲを剃る事が出来ない。
【課題を解決するための手段】
【０００４】  カミソリの中間の刃を高くし、カミソリを肌に押し当てた時に出来る、弧を描いてへこむ肌に密着させ、中間の刃もヒゲを剃る事が出来る。
【発明の効果】
【０００５】  本発明を使用する事によって、カミソリを肌に押し当てて出来る肌のへこみに対して、中間の刃も肌のへこみに密着して、ヒゲを剃る事が出来る。
【発明を実施するための最良の形態】
【０００６】  カミソリでヒゲを剃る場合、複数枚刃のカミソリを押し当てると、肌は弧を描いてへこんでしまい、カミソリの刃の高さが一定では刃とヒゲは密着しない。中間の刃を高くし、弧を描いてへこむ肌に刃を密着させてヒゲを剃る。
【実施例】
【０００７】
【図面の簡単な説明】
【０００８】
【図１】  本体図
【図２】  交換カートリッジ正面図
【図３】  交換カートリッジ断面図
【符号の説明】
【０００９】１  本体
２  交換カートリッジ
３  フレーム
４  カミソリ刃
【図１】
2008006247.tif 000003
【図２】
2008006247.tif 000004
【図３】
2008006247.tif 000005
(57)【要約】【課題】  家具の転倒防止が壁面より容易に出来なく、家具の移動により壁、木版に傷が付いてしまっていた。また、壁に物をかけることが出来なかった【解決手段】  容易に家具等の転倒防止を図ることができ、地震時の災害を少なくすることができる。また、壁に傷をつけることなくものを掛けたり、つるすことが出来る。【選択図】図１
2008006248.tif 000002
【特許請求の範囲】
【請求項１】
壁に、転倒防止型レール付万能平面板を取り付け、吸着器や磁石、ねじ付Ｔ型スリーブなどをワイヤーやベルトなどに接続し、家具等の転倒防止を図る。
【請求項２】
平板と、スライド用レール部を設ける。
家具などの転倒防止を計るため、壁よりの接続を簡略化するためレール付平面板を取り付ける。
【発明の詳細な説明】
【技術分野】
【０００１】家具等の転倒防止、インテリア等
【背景技術】
【０００２】従来、マンション及び住宅には、地震による家具の転倒を防ぐのに壁からの接続方法がなく、従来、転倒防止用の壁についている木板は、金具及びねじなどで固定する方法だが、家具の移動などにより、もく板に傷がついてしまうため安定した転倒防止ができず、見栄えが悪い。現在は差し控えている。【０００３】転倒防止の取付が素人でも簡単に取付ができ、見栄えがよい。
【発明の開示】
【発明が解決しようとする課題】
【０００４】地震による家具等の転倒防止が誰にでも取付が簡単にでき、ものを掛けるなど使い方が色々できる。また、取付け位置により簡易的な手摺りにもなる。
【課題を解決するための手段】
【０００５】家具等の移動の際も簡単に変更でき、転倒防止が誰にでもでき、傷も残らない。また、洋服の衣紋かけ絵などの装飾品などをつることも出来る。
【発明の効果】
【０００６】本発明は、壁に鉄・アルミ等の転倒防止型レール付万能平面版を取り付け、真空吸着器や磁石等をＴ字型ネジ付きスリーブやベルトなどに接続し、家具等の転倒防止を誰にも容易に取付けることができ、家具などの移動による傷も残らず、また他の部品を使用して物をつったりかけたりも出来る。また、低い位置に付けることにより（Ｈ＝８００）手摺にもなる。
【発明の実施するための最良の形態】
【０００７】以下、本発明の実施の形態を図１〜図５に基づいて説明する。
【０００８】図においては、▲１▼は上部突起で、▲１▼の突起部には、衣紋掛け及び帽子掛け等を掛ける。（付け長押）▲１▼の突起部には、取付け高さにより簡易手摺りにもできる。▲２▼はレール部で、▲２▼のレール部には、ネジ付きＴ字型スリーブ及びバンド等を使用し、家具（Ａ）（Ｂ）とレールを接続し、転倒防止を計る。▲３▼は平面部で、▲３▼の平面部には、真空吸着器を使用し、ネジ付きＴ字型スリーブ及びバンド等で、家具（Ａ）（Ｂ）とレールを接続し、転倒防止を計る。▲４▼は下部レールで、▲４▼の下部レール部には、ネジ付きＴ字型スリーブ及びバンド等で、家具（Ａ）（Ｂ）とレールを接続し、転倒防止を計る。又装飾品などを吊るすこともできる。
【図面の簡単な説明】
【０００９】
【図１】  本発明の実施形態を示す転倒防止型レール付万能平面板の断面図、詳細図
【図２】  同転倒防止型レール付万能平面板の断面、部屋内から見た姿図
【図３】  転倒防止型レール付万能平面板の図２、後付タイプの断面詳細図
【図４】  転倒防止型レール付万能平面板の図２、先付タイプの断面詳細図
【図５】  転倒防止型レール付万能平面板の図２、断面詳細図（簡易手摺り）
【図１】
2008006248.tif 000003
【図２】
2008006248.tif 000004
【図３】
2008006248.tif 000005
【図４】
2008006248.tif 000006
【図５】
2008006248.tif 000007
(57)【要約】【課題】この発明は、紛失しやすいつまようじを、木、紙、石油製品、食品素材等を、平面に加工し、つまようじとして使用できるようにし、複数本を持ち運びやすくしたものである。【解決手段】平面に加工した素材を、１部分を残し型抜き、切断し、１枚のシート状にし、そのまま利用したり、２つ折り以上にして出来た角を、つまようじとして使用できるようにしたものである。【選択図】図１
2008006258.tif 000002
【特許請求の範囲】
【請求項１】
木、プラスチック、ビニール、紙、食品等、平面となり得る素材を、一部を残して切断、型抜きをした平面形状のつまようじ。
【発明の詳細な説明】
【発明の詳細な説明】
この発明は平面に出来得る種々な素材を、一部分を残し、切断、又は型抜きした、従来のようじ複数本分を、持ち運び易くしたものである。
【背景技術】・従来ようじは、木、プラスチック等素材の違いはあったが、ほとんどは細い円柱形状で、その先端を尖らせたものであり、１本ずつ独立してあった。
・糸状のようじは歯間の異物を取り除くためだけにあった。
・フィルム素材の名刺型ようじは再利用出来たが、長期に使用するには不潔感が有った。
・紙ようじは、薄く、持ち運びは便利だが、１枚では使用回数が限られ、歯間の異物を取り除くのが困難な場合が多かった。
この考案は、以上の欠点を解決するためになされたもので、（１図）の様に平面のため、従来の木製ようじのように、転がり紛失することがなく、複数本を持ち運び出来る。
厚くすれば従来と同じ使用感も得られるし、薄くすれば歯間ようじとしても使用でき、紙、ビニール等、やわらかな素材には、２つ以上の折り目を付け、折り重ねる事によって必要な強度を得ることができる。
平面のため、表面に、色・絵・文字・写真等自由にプリントもでき、形状も、折り曲げた時に角が出来るならば（２図）のように円や不定形でもようじとして使用できるため、四角、三角の平面形状でなくとも花、果実、動物等、様々な形状に形成できる。そのため、つまようじとして従来に無かった視覚的楽しみを取り入れられるようになった。
素材自体も、小麦・米・じゃがいも等の素材を元にしたり、ゼラチン等の動物系素材を組み合わせ、必要強度を持たせ平面加工してつまようじにすると、環境にも配慮でき、またミント等の香りを練りこむことで、ようじ使用後に食後の口臭を消すような効果を加えることも可能である。
上記の形状は従来の技術で容易に作成する事が可能なうえ、ケースに入れ、名刺入れ、札入れ等に簡単に入れられるため、外食の機会の多いＯＬ，サラリーマン、学生等に便利である。
【図１】
2008006258.tif 000003
【図２】
2008006258.tif 000004
【手続補正書】
【提出日】平成18年10月23日(2006.10.23)
【手続補正１】
【補正対象書類名】明細書
【補正対象項目名】全文
【補正方法】変更
【補正の内容】
【発明の詳細な説明】
【技術分野】
【０００１】この考案は平面に出来得る種々な素材を、一部分を残し、切断、又は型抜きした、従来のようじ複数本分を、持ち運び易くしたものである。
【背景技術】
【０００２】（イ）従来ようじは、木、プラスチック等素材の違いはあったが、ほとんどは細い円柱形状で、その先端を尖らせたものであり、１本ずつ独立してあった。
（ロ）糸状のようじは歯間の異物を取り除くためだけにあった。
（ハ）四隅を使用したフィルム素材の名刺型ようじは再利用出来たが、長期に使用するには不潔感があった。
（ニ）紙ようじは、薄く、持ち運びは便利だが、１枚では使用回数が限られ、歯間の異物を取り除くのが困難な場合が多かった。
【発明の開示】
【発明が解決しようとする課題】
【０００３】この考案は、以上の欠点を解決するためになされたもので、（１図）の様に平面のため、従来の木製ようじのように、転がり紛失することがなく、複数本を持ち運び出来る。厚くすれば従来と同じ使用感も得られるし、薄くすれば歯間ようじとしても使用でき、紙、ビニール等、やわらかな素材には、２つ以上の折り目を付け、折り重ねる事によって必要な強度を得ることができる。
【課題を解決するための手段】
【０００４】（イ）平面のため、表面に、色・絵・文字・写真等自由にプリントもでき、形状も、折り曲げた時に角が出来るならば（２図）のように円や不定形でもようじとして使用できるため、四角、三角の平面形状でなくとも花、果実、動物等、様々な形状に形成できる。そのため、つまようじとして従来に無かった視覚的楽しみを取り入れられるようになった。
（ロ）素材自体も、小麦・米・じゃがいも等の素材を元にしたり、ゼラチン等の動物系素材を組み合わせ、必要強度を持たせ平面加工してつまようじにすると、環境にも配慮でき、またミント等の香りを練りこむことで、ようじ使用後に食後の口臭を消すような効果を加えることも可能である。
【発明の効果】
【０００５】上記の形状は従来の技術で容易に作成する事が可能なうえ、ケースに入れ、名刺入れ、札入れ等に簡単に入れられるため、外食の機会の多いＯＬ、サラリーマン、学生等に便利な携帯つまようじとして幅広い範囲での利用が期待できる。
【図面の簡単な説明】
【０００６】
【図１】本発明の平面図、及び使用説明図。複数本がカード状に連なっており、使用する際に１本１本取り外して使用する。また半分に折ることで鋭角が出来、よりつまようじとしての強度が増し、また歯間の掃除もしやすい。
【図２】本発明の使用説明図。視覚的な楽しみを取り入れたユニークな形状の提案例。
(57)【要約】      （修正有）【課題】割り箸、スプーン、フォークと同封されているつまようじに関し、開封時に同封されているつまようじを紛失し難くしたつまようじを提供する。【解決手段】平面に加工した素材を、型抜き、切断し、素材の厚さによりそのままか、薄いものは複数の折り目を付ける事により、角ができるようにし、先端部分をつまようじとして使用できるようにしたものであり、割り箸、スプーン、フォーク袋の内径寸法に近い幅を持つ平面形状としたつまようじ。【選択図】図１
2008006259.tif 000002
【特許請求の範囲】
【請求項１】
木、紙、プラスチック、ビニール、食品等平面に加工できる素材を、切断、型抜きをした平面形状のつまようじ。
【発明の詳細な説明】
【発明の詳細な説明】
この発明は割り箸、スプーン、フォークと同封されているつまようじを紛失し難くした平面形状のつまようじに関するものである。
【背景技術】・従来、つまようじ入り割り箸、スプーン、フォークの袋に同封されているつまようじは１本であり、つまようじ自体が細く円柱状で、転がり易い為に袋自体に注意書きを入れてある。これは袋を破り、割り箸等を取り出す時に一緒に落ちる事が多々あるためで、落としたようじは不潔であるし、屋外や車中で弁当を食べる際に使う時など、ようじの発見が困難である場合が多かった。その為に袋を透明にし、所在を見える様にしたり、注意書きが必要であった。割り箸につまようじが組み込まれたり、スプーン一体型のつまようじが発明される必要は、以上の不便さが有った為である。
この考案は、上記の欠点を解決するためになされたもので（１図）のように、箸、スプーン、フォーク袋に内径の寸法近くするだけで、開封時に落ちにくくなる。
また、着色した素材を使えば、透明の袋の中、一目で解るため、紛失する可能性は少なく、袋より取り出して食事後に使用する際置いておく場合も、転がらないため紛失する可能性は少ない。
平面に出来る素材ならほとんどが素材として使用出来る為、厚み薄さも自由に出来、（イ）のように厚い場合はそのままで、（ロ）（ハ）のように薄い素材使用の場合は、歯間にも使える。折り目を付け２つ折り以上にすると必要強度は十分に得られる。形状も平面の為、（２図）動物・魚・花・キャラクター等様々な型にも簡単に出来、ＣＭ広吉を入れたり、裏面に「大吉」などの文字を入れた「おみくじようじ」などの、デザイン的な遊び要素を入れる（印刷する）ことも可能である。
素材自体も、小麦・米・じゃがいも等の植物系素材を元にしたり、ゼラチン等の動物系素材を組み合わせ、必要強度を持たせ平面加工してつまようじにすると、環境にも配慮でき、またミント等の香りを練りこむことで、ようじ使用後に食後の口臭を消すような効果を加えることも可能である。
このように平面形状のつまようじは、視覚的に楽しめることにより目立ち、転がらないので紛失しがたい。
従来の木、竹、石油等の限られた資源だけに頼ることがなく、使用素材によっては、環境にも人体にもやさしくする事が可能である。切断、型抜き等従来の加工技術で簡単にできるため、有効である。
【図１】
2008006259.tif 000003
【図２】
2008006259.tif 000004
【手続補正書】
【提出日】平成18年10月2日(2006.10.2)
【手続補正１】
【補正対象書類名】明細書
【補正対象項目名】全文
【補正方法】変更
【補正の内容】
【発明の詳細な説明】
【技術分野】
【０００１】この考案は割り箸、スプーン、フォークと同封されているつまようじを紛失し難くした平面形状のつまようじに関するものである。
【背景技術】
【０００２】従来、つまようじ入り割り箸、スプーン、フォークの袋に同封されているつまようじは１本であり、つまようじ自体が細く円柱状で、転がり易い為に袋自体に注意書きを入れてある。これは袋を破り、割り箸等を取り出す時に一緒に落ちる事が多々あるためで、落としたようじは不潔であるし、屋外や車中で弁当を食べる際に使う時など、ようじの発見が困難である場合が多かった。その為に袋を透明にし、所在を見える様にしたり、注意書きが必要であった。割り箸につまようじが組み込まれたり、スプーン一体型のつまようじが発明される必要は、以上の不便さが有った為である。
【発明の開示】
【発明の効果】
【０００３】この考案は、上記の欠点を解決するためになされたもので、１図のように、箸、スプーン、フォーク袋に内径の寸法近くするだけで、開封時に落ちにくくなる。
また、着色した素材を使えば、透明の袋の中、一目で解るため、紛失する可能性は少なく、袋より取り出して食事後に使用する際置いておく場合も、転がらないため紛失する可能性は少ない。
（イ）平面に出来る素材ならほとんどが素材として使用出来る為、厚み薄さも自由に出来、１図の（イ）のように厚い場合はそのままで、（ロ）（ハ）のように薄い素材使用の場合は、歯間にも使える。折り目を付け２つ折り以上にすると必要強度は十分に得られる。
（ロ）形状も平面の為、２図のように、動物・魚・花・キャラクター等様々な型にも簡単に出来、ＣＭ広告を入れたり、裏面に「大吉」などの文字を入れた「おみくじようじ」などの、デザイン的な遊び要素を入れる（印刷する）ことも可能である。
（ハ）素材自体も、小麦・米・じゃがいも等の植物系素材を元にしたり、ゼラチン等の動物系素材を組み合わせ、必要強度を持たせ平面加工してつまようじにすると、環境にも配慮でき、またミント等の香りを練りこむことで、ようじ使用後に食後の口臭を消すような効果を加えることも可能である。
（二）このように平面形状のつまようじは、視覚的に楽しめることにより目立ち、転がらないので紛失しがたい。従来の木、竹、石油等の限られた資源だけに頼ることがなく、使用素材によっては、環境にも人体にもやさしくする事が可能である。切断、型抜き等従来の加工技術で簡単にできるため、有効である。
【図面の簡単な説明】
【０００４】
【図１】本発明の使用説明図。デザイン加工を施したようじを箸袋の中に入れる。この時、箸とつまようじの幅をほぼ同じにし、開封時に落としにくいように工夫。
【図２】本発明の使用説明図。イラストを使ったユニークな形状の提案。
【符号の説明】
【０００５】（イ）つまようじに厚みをつけ、固さと強度をつけたもの
（ロ）２つ折りにして強度アップを図る。
（ハ）３つ折り（もしくはそれ以上）にして強度をアップさせ、また形状によっては先端部分をつまようじとして使用しやすいようにとの工夫である。
【手続補正２】
【補正対象書類名】特許請求の範囲
【補正対象項目名】全文
【補正方法】変更
【補正の内容】
【特許請求の範囲】
【請求項１】
木、紙、プラスチック、ビニール、食品等平面に加工できる素材を、切断、型抜きをしたつまようじ入割り箸、スプーン、フォークの為の平面形状つまようじ